(57)【要約】  浮体としての使用時に人体の背側に位置する背側浮体（１０）と浮体としての使用時に人体の腹側（Ｆ）に位置する腹側浮体（１２）とが、肩部連結部（１４）でそれぞれの肩部で連結された状態で、平時に、背側浮体（１０）を背負い鞄（６）の中に収納すると共に腹側浮体（１２）を背負い鞄（６）の人体とは逆側の外側に配置し、浮体としての使用時に、腹側浮体（１２）を、肩部連結部（１４）を回転基点として人体の腹側方向に回動させて、腹側浮体（１２）を人体の腹側に位置させ、背側浮体（１０）又は背負い鞄（６）と腹側浮体（１２）との間に股紐（１６）を人体の股部（Ｃ）を通って架け渡して、背側浮体（１０）又は背負い鞄（６）と腹側浮体（１２）とを連結することを特徴とする。
2020003455.tif 000002
【特許請求の範囲】
【請求項１】
背負い鞄に装着して使用する背負い鞄用救命胴体において、
浮体としての使用時に人体の背側に位置する背側浮体と、
浮体としての使用時に前記人体の腹側に位置する腹側浮体と、
前記背側浮体と前記腹側浮体とを、それぞれの肩部で連結する肩部連結部とを備え、
浮体としての使用時に前記背側浮体又は前記背負い鞄と前記腹側浮体との間に前記人体の股部を通って架け渡す股紐を備えることを特徴とする背負い鞄用救命胴体。
【請求項２】
浮体としての使用時に前記背側浮体又は前記背負い鞄と前記腹側浮体との間に前記人体の腰周りを通って架け渡す腰紐を備えることを特徴とする請求項１に記載の背負い鞄用救命胴体。
【請求項３】
背負い鞄に装着して使用する背負い鞄用救命胴体において、
浮体としての使用時に人体の背側に位置する背側浮体と、
浮体としての使用時に前記人体の腹側に位置する腹側浮体と、
前記背側浮体と前記腹側浮体とを、それぞれの肩部で連結する肩部連結部とを備え、
浮体としての使用時に前記背側浮体又は前記背負い鞄と前記腹側浮体との間に前記人体の腰周りを通って架け渡す腰紐を備えることを特徴とする背負い鞄用救命胴体。
【請求項４】
背負い鞄に装着して使用する背負い鞄用救命胴体の使用方法において、
浮体としての使用時に人体の背側に位置する背側浮体と浮体としての使用時に前記人体の腹側に位置する腹側浮体とが、肩部連結部でそれぞれの肩部で連結された状態で、
平時に、前記背側浮体を前記背負い鞄の中に収納すると共に前記腹側浮体を前記背負い鞄の前記人体とは逆側の外側に配置し、
浮体としての使用時に、前記腹側浮体を、前記肩部連結部を回転基点として前記人体の腹側方向に回動させて、前記腹側浮体を前記人体の腹側に位置させ、
前記背側浮体又は前記背負い鞄と前記腹側浮体との間に股紐を前記人体の股部を通って架け渡して、前記背側浮体又は前記背負い鞄と前記腹側浮体とを連結することを特徴とする背負い鞄用救命胴体の使用方法。
【請求項５】
背負い鞄に装着して使用する背負い鞄用救命胴体の使用方法において、
浮体としての使用時に人体の背側に位置する背側浮体と浮体としての使用時に前記人体の腹側に位置する腹側浮体とが、肩部連結部でそれぞれの肩部で連結された状態で、
平時に、前記背側浮体を前記背負い鞄の中に収納すると共に前記腹側浮体を前記背負い鞄の前記人体とは逆側の外側に配置し、
浮体としての使用時に、前記腹側浮体を、前記肩部連結部を回転基点として前記人体の腹側方向に回動させて、前記腹側浮体を前記人体の腹側に位置させ、
前記背側浮体又は前記背負い鞄と前記腹側浮体との間に股紐を前記人体の股部を通って架け渡し、かつ、前記背側浮体又は前記背負い鞄と前記腹側浮体との間に腰紐を前記人体の腰周りを通って架け渡して、前記背側浮体又は前記背負い鞄と前記腹側浮体とを連結することを特徴とする背負い鞄用救命胴体の使用方法。
【請求項６】
背負い鞄に装着して使用する背負い鞄用救命胴体の使用方法において、
浮体としての使用時に人体の背側に位置する背側浮体と浮体としての使用時に前記人体の腹側に位置する腹側浮体とが、肩部連結部でそれぞれの肩部で連結された状態で、
平時に、前記背側浮体を前記背負い鞄の中に収納すると共に前記腹側浮体を前記背負い鞄の前記人体とは逆側の外側に配置し、
浮体としての使用時に、前記腹側浮体を、前記肩部連結部を回転基点として前記人体の腹側方向に回動させて、前記腹側浮体を前記人体の腹側に位置させ、
前記背側浮体又は前記背負い鞄と前記腹側浮体との間に腰紐を前記人体の腰周りを通って架け渡して、前記背側浮体又は前記背負い鞄と前記腹側浮体とを連結することを特徴とする背負い鞄用救命胴体の使用方法。
【請求項７】
背負い鞄に装着して使用する背負い鞄用救命胴体の使用方法において、
浮体としての使用時に人体の背側に位置する背側浮体と浮体としての使用時に前記人体の腹側に位置する腹側浮体とが、肩部連結部でそれぞれの肩部で連結された状態で、
平時に、前記背側浮体を前記背負い鞄と前記人体との間に位置させると共に前記腹側浮体を前記背負い鞄の前記人体とは逆の外側に配置し、
浮体としての使用時に、前記腹側浮体を、前記肩部連結部を回転基点として前記人体の腹側方向に回動させて、前記腹側浮体を前記人体の腹側に位置させ、
前記背側浮体又は前記背負い鞄と前記腹側浮体との間に股紐を前記人体の股部を通って架け渡して、前記背側浮体又は前記背負い鞄と前記腹側浮体とを連結することを特徴とする背負い鞄用救命胴体の使用方法。
【請求項８】
背負い鞄に装着して使用する背負い鞄用救命胴体の使用方法において、
浮体としての使用時に人体の背側に位置する背側浮体と浮体としての使用時に前記人体の腹側に位置する腹側浮体とが、肩部連結部でそれぞれの肩部で連結された状態で、
平時に、前記背側浮体を前記背負い鞄と前記人体との間に位置させると共に前記腹側浮体を前記背負い鞄の前記人体とは逆の外側に配置し、
浮体としての使用時に、前記腹側浮体を、前記肩部連結部を回転基点として前記人体の腹側方向に回動させて、前記腹側浮体を前記人体の腹側に位置させ、
前記背側浮体又は前記背負い鞄と前記腹側浮体との間に股紐を前記人体の股部を通って架け渡し、かつ、前記背側浮体又は前記背負い鞄と前記腹側浮体との間に腰紐を前記人体の腰周りを通って架け渡して、前記背側浮体又は前記背負い鞄と前記腹側浮体とを連結することを特徴とする背負い鞄用救命胴体の使用方法。
【請求項９】
背負い鞄に装着して使用する背負い鞄用救命胴体の使用方法において、
浮体としての使用時に人体の背側に位置する背側浮体と浮体としての使用時に前記人体の腹側に位置する腹側浮体とが、肩部連結部でそれぞれの肩部で連結された状態で、
平時に、前記背側浮体を前記背負い鞄と前記人体との間に位置させると共に前記腹側浮体を前記背負い鞄の前記人体とは逆の外側に配置し、
浮体としての使用時に、前記腹側浮体を、前記肩部連結部を回転基点として前記人体の腹側方向に回動させて、前記腹側浮体を前記人体の腹側に位置させ、
前記背側浮体又は前記背負い鞄と前記腹側浮体との間に腰紐を前記人体の腰周りを通って架け渡して、前記背側浮体又は前記背負い鞄と前記腹側浮体とを連結することを特徴とする背負い鞄用救命胴体の使用方法。
【発明の詳細な説明】
【技術分野】
【０００１】
本発明は、背負い鞄に装着して使用する背負い鞄用救命胴体及び背負い鞄用救命胴体の使用方法に関する。
【背景技術】
【０００２】
従来より、豪雨や津波等による水難事象に備えた救命胴衣が提案されている。但し、専用の救命胴衣の場合、普段の生活の中で持ち歩いたりすることが困難である。このような課題を解決しつつ、救命胴衣を身近に備える方法として、例えば、特許文献１のライフセーブ機能を備えたバッグが提案されている。【０００３】
特許文献１のライフセーブ機能を備えたバッグは、一対の本体面部と、この一対の本体面部を側縁で繋ぐ妻面部と、一対の本体面部を下縁で繋ぎ、妻面部と連続している底面部とを具えた収容本体と、この収容本体に設けられる携行バンドとによりバッグ本体を構成し、バッグ本体の少なくとも本体面部には浮体が具えられ、更に妻面部と底面部とには、一対となった本体面部を拡げる方向に分割できるようにした分割構造を具え、更にまた一対の本体面部は、互いの拡開限界を設定するとともに、使用者の両上肢と頸部との通し部を構成するための脇ストラップをその周囲に具えている。そして、ライフジャケットとして使用するときは、分割構造を作用させて一対の本体面部を拡開させ、いずれかの開放側から使用者が被るようにして、反対側の開放側から頭部を出して、ベスト状に使用者身体に装着できるようにするものである。
【先行技術文献】
【特許文献】
【０００４】
【特許文献１】特開２０１４−１１３１８０号公報
【発明の概要】
【発明が解決しようとする課題】
【０００５】
しかしながら、従来のライフセーブ機能を備えたバッグは、手提げのバッグなので、普段の生活の中で使用する機会が限定されており、外出のより多くの機会に持参されるものとは言い難く、突発的な水難に使用できる可能性が低くなってしまうという課題がある。【０００６】
本発明は、このような事情に鑑みてなされたもので、外出のより多くの機会に持参されやすく、突発的な水難に使用できる可能性が高まり、脱離しにくい背負い鞄用救命胴体及び背負い鞄用救命胴体の使用方法を提供することにある。
【課題を解決するための手段】
【０００７】
上記目的を達成するため、本発明に係る請求項１に記載の背負い鞄用救命胴体は、浮体としての使用時に人体の背側に位置する背側浮体と、浮体としての使用時に人体の腹側に位置する腹側浮体と、背側浮体と腹側浮体とを、それぞれの肩部で連結する肩部連結部とを備え、浮体としての使用時に背側浮体又は背負い鞄と腹側浮体との間に人体の股部を通って架け渡す股紐を備えることを特徴とする。【０００８】
請求項２に記載の背負い鞄用救命胴体は、浮体としての使用時に背側浮体又は背負い鞄と腹側浮体との間に人体の腰周りを通って架け渡す腰紐を備えることを特徴とする。【０００９】
請求項３に記載の背負い鞄用救命胴体は、浮体としての使用時に人体の背側に位置する背側浮体と、浮体としての使用時に人体の腹側に位置する腹側浮体と、背側浮体と腹側浮体とを、それぞれの肩部で連結する肩部連結部とを備え、浮体としての使用時に背側浮体又は背負い鞄と腹側浮体との間に人体の腰周りを通って架け渡す腰紐を備えることを特徴とする。【００１０】
請求項４に記載の背負い鞄用救命胴体の使用方法は、浮体としての使用時に人体の背側に位置する背側浮体と浮体としての使用時に人体の腹側に位置する腹側浮体とが、肩部連結部でそれぞれの肩部で連結された状態で、平時に、背側浮体を背負い鞄の中に収納すると共に腹側浮体を背負い鞄の人体とは逆側の外側に配置し、浮体としての使用時に、腹側浮体を、肩部連結部を回転基点として人体の腹側方向に回動させて、腹側浮体を人体の腹側に位置させ、背側浮体又は背負い鞄と腹側浮体との間に股紐を人体の股部を通って架け渡して、背側浮体又は背負い鞄と腹側浮体とを連結することを特徴とする。【００１１】
請求項５に記載の背負い鞄用救命胴体の使用方法は、浮体としての使用時に人体の背側に位置する背側浮体と浮体としての使用時に人体の腹側に位置する腹側浮体とが、肩部連結部でそれぞれの肩部で連結された状態で、平時に、背側浮体を背負い鞄の中に収納すると共に腹側浮体を背負い鞄の人体とは逆側の外側に配置し、浮体としての使用時に、腹側浮体を、肩部連結部を回転基点として人体の腹側方向に回動させて、腹側浮体を人体の腹側に位置させ、背側浮体又は背負い鞄と腹側浮体との間に股紐を人体の股部を通って架け渡し、かつ、背側浮体又は背負い鞄と腹側浮体との間に腰紐を人体の腰周りを通って架け渡して、背側浮体又は背負い鞄と腹側浮体とを連結することを特徴とする。【００１２】
請求項６に記載の背負い鞄用救命胴体の使用方法は、浮体としての使用時に人体の背側に位置する背側浮体と浮体としての使用時に人体の腹側に位置する腹側浮体とが、肩部連結部でそれぞれの肩部で連結された状態で、平時に、背側浮体を背負い鞄の中に収納すると共に腹側浮体を背負い鞄の人体とは逆側の外側に配置し、浮体としての使用時に、腹側浮体を、肩部連結部を回転基点として人体の腹側方向に回動させて、腹側浮体を人体の腹側に位置させ、背側浮体又は背負い鞄と腹側浮体との間に腰紐を人体の腰周りを通って架け渡して、背側浮体又は背負い鞄と腹側浮体とを連結することを特徴とする。【００１３】
請求項７に記載の背負い鞄用救命胴体の使用方法は、浮体としての使用時に人体の背側に位置する背側浮体と浮体としての使用時に人体の腹側に位置する腹側浮体とが、肩部連結部でそれぞれの肩部で連結された状態で、平時に、背側浮体を背負い鞄と人体との間に位置させると共に腹側浮体を背負い鞄の人体とは逆の外側に配置し、浮体としての使用時に、腹側浮体を、肩部連結部を回転基点として人体の腹側方向に回動させて、腹側浮体を人体の腹側に位置させ、背側浮体又は背負い鞄と腹側浮体との間に股紐を人体の股部を通って架け渡して、背側浮体又は背負い鞄と腹側浮体とを連結することを特徴とする。【００１４】
請求項８に記載の背負い鞄用救命胴体の使用方法は、浮体としての使用時に人体の背側に位置する背側浮体と浮体としての使用時に人体の腹側に位置する腹側浮体とが、肩部連結部でそれぞれの肩部で連結された状態で、平時に、背側浮体を背負い鞄と人体との間に位置させると共に腹側浮体を背負い鞄の人体とは逆の外側に配置し、浮体としての使用時に、腹側浮体を、肩部連結部を回転基点として人体の腹側方向に回動させて、腹側浮体を人体の腹側に位置させ、背側浮体又は背負い鞄と腹側浮体との間に股紐を人体の股部を通って架け渡し、かつ、背側浮体又は背負い鞄と腹側浮体との間に腰紐を人体の腰周りを通って架け渡して、背側浮体又は背負い鞄と腹側浮体とを連結することを特徴とする。【００１５】
請求項９に記載の背負い鞄用救命胴体の使用方法は、浮体としての使用時に人体の背側に位置する背側浮体と浮体としての使用時に人体の腹側に位置する腹側浮体とが、肩部連結部でそれぞれの肩部で連結された状態で、平時に、背側浮体を背負い鞄と人体との間に位置させると共に腹側浮体を背負い鞄の人体とは逆の外側に配置し、浮体としての使用時に、腹側浮体を、肩部連結部を回転基点として人体の腹側方向に回動させて、腹側浮体を人体の腹側に位置させ、背側浮体又は背負い鞄と腹側浮体との間に腰紐を人体の腰周りを通って架け渡して、背側浮体又は背負い鞄と腹側浮体とを連結することを特徴とする。
【発明の効果】
【００１６】
本発明によれば、外出のより多くの機会に持参されやすく、突発的な水難に使用できる可能性が高まり、脱離しにくい背負い鞄用救命胴体及び背負い鞄用救命胴体の使用方法を提供することができる。
【図面の簡単な説明】
【００１７】
【図１】本発明に係る背負い鞄用救命胴体の第１の実施例及びその使用方法を示す説明図である。
【図２】同第１の実施例の背負い鞄用救命胴体の使用方法を示す説明図である。
【図３】本発明に係る背負い鞄用救命胴体の第２の実施例及びその使用方法を示す説明図である。
【図４】同第２の実施例の背負い鞄用救命胴体の使用方法を示す説明図である。
【図５】本発明に係る背負い鞄用救命胴体の第３の実施例及びその使用方法を示す説明図である。
【図６】同第３の実施例の背負い鞄用救命胴体の使用方法を示す説明図である。
【図７】本発明に係る背負い鞄用救命胴体の第４の実施例及びその使用方法を示す説明図である。
【図８】同第４の実施例の背負い鞄用救命胴体の使用方法を示す説明図である。
【図９】本発明に係る背負い鞄用救命胴体の第５の実施例及びその使用方法を示す説明図である。
【図１０】同第５の実施例の背負い鞄用救命胴体の使用方法を示す説明図である。
【図１１】本発明に係る背負い鞄用救命胴体の第６の実施例及びその使用方法を示す説明図である。
【図１２】同第６の実施例の背負い鞄用救命胴体の使用方法を示す説明図である。
【発明を実施するための形態】
【００１８】
本発明に係る背負い鞄用救命胴体は、背負い鞄に装着して使用するもので、豪雨や津波等による水難事象に背負い鞄を救命胴衣がごとく使用できるようにするものである。尚、背負い鞄とは、リュックサック、ディバッグなど人体の背中に密着するように背負う鞄であり、小学生が使用するランドセルであってもよく、その構造や大きさにより限定されるものではない。以下、実施例を示して本願の背負い鞄用救命胴体について説明する。
【実施例１】
【００１９】
図１は、本発明に係る背負い鞄用救命胴体の第１の実施例及びその使用方法を示す説明図である。図２は、第１の実施例の背負い鞄用救命胴体の使用方法を示す説明図である。本実施例における背負い鞄用救命胴体１ａは、浮体としての使用時に人体の背側Ｂに位置する背側浮体１０と、浮体としての使用時に人体の腹側Ｆに位置する腹側浮体１２と、背側浮体１０と腹側浮体１２とを、それぞれの肩部で連結する２本の肩部連結部１４と、浮体としての使用時に背負い鞄６と腹側浮体１２とを連結する股紐１６を備えている。【００２０】
本実施の形態では、背側浮体１０が、背負い鞄６の収納室６ａ内に収納可能な形状である。背側浮体１０及び腹側浮体１２は、人体を水面に浮かせるのに十分な浮力を有する大きさと材質で作られている。尚、背側浮体１０及び腹側浮体１２は、大人用と子供用では大きさが異なり、また、浮体の量を任意に増減させることで、いろいろな体重の人に対応が可能となる。尚、本実施例に係る図では、背側浮体１０及び腹側浮体１２を、厚板状の略正方形で示しているが、その形状は任意で、例えば、円盤状であっても構わない。【００２１】
次に、本実施の形態に係る背負い鞄用救命胴体１ａの使用方法を説明する。背負い鞄用救命胴体１ａを、救命胴体として使用しない時には、背側浮体１０を背負い鞄６の収納室６ａ内に収納した状態で、肩部連結部１４が背負い鞄６の収納室口６ｂから出るようにする。そして、肩部連結部１４で背側浮体１０と連結されている腹側浮体１２を、背負い鞄６の外側になるように配置させる。この状態で、背負い鞄用救命胴体１ａを備えた背負い鞄６を、背負い鞄６の肩紐８に手を通して背負うようにする。【００２２】
尚、救命胴体として使用していない時の股紐１６の形態は、特に限定されないが、水難時等にすぐに使用できる状態で収納されていればよい。例えば、股紐１６は、背負い鞄６及び／又は腹側浮体１２の底面や側面に折り畳まれている、あるいは、折り畳まれた状態で背負い鞄６及び／又は腹側浮体１２の底面や側面に設けられたポケットに収納されている等、任意の形態が可能である。【００２３】
次に、水難時等に背負い鞄用救命胴体１ａを救命胴体として使用する場合には、図１及び図２に示すように、背負い鞄６の収納室６ａ内の背側浮体１０はそのままで、腹側浮体１２を、人体の腹側Ｆに持ってくる。このとき、２本の肩部連結部１４の間から、頭部Ｈを通すようにすればよい。これにより、背側浮体１０と腹側浮体１２とで、人体の背側Ｂと腹側Ｆとが囲まれた状態となり、一般的な救命胴衣と同様な形態になる。【００２４】
また、背負い鞄６と腹側浮体１２との間に股紐１６を、人体の股部Ｃを通って架け渡して、背負い鞄６と腹側浮体１２とを連結する。尚、背側浮体１０と腹側浮体１２との間に股紐１６を架け渡して、背側浮体１０と腹側浮体１２とを連結するようにしてもよい。その場合、背負い鞄６の下方に股紐１６が通る孔を設けて、股紐１６がその孔を貫通して背側浮体１０と腹側浮体１２とを連結するようにしてもよい。【００２５】
股紐１６で背側浮体１０又は背負い鞄６と腹側浮体１２とを連結することで、背負い鞄用救命胴体１ａを人体の股部Ｃで固定することができる。このため、水中で背負い鞄用救命胴体１ａが浮き上がり人体の上方に抜ける、又は腹側浮体１２が腹側Ｆから離れる等の脱離を防止し、浮遊性を高めることができる。【００２６】
また、本実施例に係る図では、肩部連結部１４をバンド状で示しているが、バンド状に限られるものではなく、背側浮体１０と腹側浮体１２とを布状の肩部連結部で連結し、肩部連結部に人体の頭部Ｈを通すことができる穴部を有する形状とすることも可能である。【００２７】
また、本実施例に係る図では、股紐１６をバンド状で示しているが、バンド状に限られるものではなく、背側浮体１０又は背負い鞄６と腹側浮体１２とを布状の股紐で連結し、人体の股部Ｃを通って股紐を架け渡すことも可能である。尚、本実施例に係る図では、股紐１６に背負い鞄６と腹側浮体１２とを連結する連結手段を示していないが、連結手段は特に限定されない。例えば、バックル状、面ファスナー、ボタン等の留め具を使用することにより容易に着脱ができることが好ましい。【００２８】
尚、本実施の形態での背負い鞄用救命胴体１ａの使用方法として、救命胴体として使用しない時に、腹側浮体１２を、背負い鞄６の外側に配置するようにしているが、このような使い方に限られるものではなく、腹側浮体１２を、背負い鞄６の収納室６ａ内に収納可能な形状とするようにしてもよい。すなわち、背側浮体１０及び／又は腹側浮体１２が、背負い鞄６の収納室６ａ内に収納可能な形状であればよい。
【実施例２】
【００２９】
図３は、本発明に係る背負い鞄用救命胴体の第２の実施例及びその使用方法を示す説明図である。図４は、第２の実施例の背負い鞄用救命胴体の使用方法を示す説明図である。本実施例に係る図では、浮体としての使用時に、背負い鞄６と腹側浮体１２との間に人体の股部Ｃを通って股紐１６を架け渡し、かつ、背負い鞄６から腹側浮体１２に向かって腰紐１８を架け渡している。尚、背負い鞄６から腹側浮体１２に架け渡した腰紐１８によって、背負い鞄６及び人体の背側Ｂ、並びに、腹側浮体１２及び人体の腹側Ｆが互いに密着するように装着することが好ましい。その場合、背負い鞄６及び人体の背側Ｂ、並びに、腹側浮体１２及び人体の腹側Ｆの間に空間がほぼなくなり、水中で水が入りにくくなるため、浮遊性を高めることができる。【００３０】
本実施例では、実施例１の背負い鞄用救命胴体１ａに加えて、浮体としての使用時に背負い鞄６と腹側浮体１２との間に人体の腰周りを通って架け渡す腰紐１８を備えている。尚、背側浮体１０と腹側浮体１２との間に腰紐１８を架け渡して、背側浮体１０と腹側浮体１２とを連結するようにしてもよい。その場合、背負い鞄６の側方又は背面に腰紐１８が通る孔を設けて、腰紐１８がその孔を貫通して背側浮体１０と腹側浮体１２とを連結するようにしてもよい。【００３１】
背側浮体１０又は背負い鞄６と腹側浮体１２とを股紐１６で連結することに加えて、背負い鞄６又は背側浮体１０と腹側浮体１２とを腰紐１８を用いてつなぎ止めることで、背負い鞄用救命胴体１ｂを人体の股部Ｃと腰部で固定することができる。このため、水中で背負い鞄用救命胴体１ｂが人体の上方だけでなく、側方に抜ける等の脱離を防止することができる。【００３２】
尚、本実施例に係る図では、腰紐１８に背負い鞄６と腹側浮体１２とを連結する連結手段を示していないが、連結手段は特に限定されない。例えば、バックル状、面ファスナー、ボタン等の留め具を使用することにより容易に着脱ができることが好ましい。
【実施例３】
【００３３】
図５は、本発明に係る背負い鞄用救命胴体の第３の実施例及びその使用方法を示す説明図である。図６は、第３の実施例の背負い鞄用救命胴体の使用方法を示す説明図である。本実施例に係る図では、浮体としての使用時に、背負い鞄６から腹側浮体１２に向かって腰紐１８を架け渡している。尚、背負い鞄６から腹側浮体１２に架け渡した腰紐１８によって、背負い鞄６及び人体の背側Ｂ、並びに、腹側浮体１２及び人体の腹側Ｆが互いに密着するように装着することが好ましい。その場合、背負い鞄６及び人体の背側Ｂ、並びに、腹側浮体１２及び人体の腹側Ｆの間に空間がほぼなくなり、水中で水が入りにくくなるため、浮遊性を高めることができる。【００３４】
本実施例では、浮体としての使用時に背負い鞄６と腹側浮体１２との間に人体の腰周りを通って架け渡す腰紐１８を備えている。尚、背側浮体１０と腹側浮体１２との間に腰紐１８を架け渡して、背側浮体１０と腹側浮体１２とを連結するようにしてもよい。その場合、背負い鞄６の側方又は背面に腰紐１８が通る孔を設けて、腰紐１８がその孔を貫通して背側浮体１０と腹側浮体１２とを連結するようにしてもよい。【００３５】
背負い鞄６又は背側浮体１０と腹側浮体１２とを腰紐１８を用いてつなぎ止めることで、背負い鞄用救命胴体１ｃを人体の腰部で固定することができる。このため、水中で背負い鞄用救命胴体１ｃが浮き上がり人体から抜ける、又は腹側浮体１２が腹側Ｆから離れる等の脱離を防止することができる。
【実施例４】
【００３６】
図７は、本発明に係る背負い鞄用救命胴体の第４の実施例及びその使用方法を示す説明図である。図８は、第４の実施例の背負い鞄用救命胴体の使用方法を示す説明図である。本実施例における背負い鞄用救命胴体２ａは、浮体としての使用時に人体の背側Ｂに位置する背側浮体２０と、浮体としての使用時に人体の腹側Ｆに位置する腹側浮体２２と、背側浮体２０と腹側浮体２２とを、それぞれの肩部で連結する２本の肩部連結部２４と、浮体としての使用時に背負い鞄６と腹側浮体２２とを連結する股紐２６を備えている。【００３７】
背側浮体２０及び腹側浮体２２は、人体を水面に浮かせるのに十分な浮力を有する大きさと材質で作られている。尚、背側浮体２０及び腹側浮体２２は、大人用と子供用では大きさが異なり、また、浮体の量を任意に増減させることで、いろいろな体重の人に対応が可能となる。尚、本実施例に係る図では、背側浮体２０及び腹側浮体２２を、厚板状の略正方形で示しているが、その形状は任意で、例えば、円盤状であっても構わない。【００３８】
次に、本実施の形態に係る背負い鞄用救命胴体２ａの使用方法を説明する。背負い鞄用救命胴体２ａを、救命胴体として使用しない時には、背側浮体２０を背負い鞄６の背側６ｃの外側になるように配置する。そして、肩部連結部２４で背側浮体２０と連結されている腹側浮体２２を、背負い鞄６の外側になるように配置させる。この状態で、背負い鞄用救命胴体２ａを備えた背負い鞄６を、背負い鞄６の肩紐８に手を通して背負うようにする。この時に、背側浮体２０は、背負い鞄６の背側６ｃと人体の背側Ｂとの間に位置するようにする。すなわち、背側浮体２０が背負い鞄６の背当てとして機能することになる。【００３９】
尚、救命胴体として使用しない時の股紐２６の形態は、特に限定されないが、水難時等にすぐに使用できる状態で収納されていればよい。例えば、股紐２６は、背負い鞄６及び／又は腹側浮体２２の底面や側面に折り畳まれている、あるいは、折り畳まれた状態で背負い鞄６及び／又は腹側浮体２２の底面や側面に設けられたポケットに収納されている等、任意の形態が可能である。【００４０】
次に、水難時等に背負い鞄用救命胴体２ａを救命胴体として使用する場合には、図７及び図８に示すように、背側浮体２０はそのままで、腹側浮体２２を、人体の腹側Ｆに持ってくる。このとき、２本の肩部連結部２４の間から、頭部Ｈを通すようにすればよい。これにより、背側浮体２０と腹側浮体２２とで、人体の背側Ｂと腹側Ｆとが囲まれた状態となり、一般的な救命胴衣と同様な形態になる。【００４１】
また、背負い鞄６と腹側浮体２２との間に股紐２６を、人体の股部Ｃを通って架け渡して、背負い鞄６と腹側浮体２２とを連結する。尚、背側浮体２０と腹側浮体２２との間に股紐２６を架け渡して、背側浮体２０と腹側浮体２２とを連結するようにしてもよい。股紐２６で背側浮体２０又は背負い鞄６と腹側浮体２２とを連結することで、背負い鞄用救命胴体２ａを人体の股部Ｃで固定することができる。このため、水中で背負い鞄用救命胴体２ａが浮き上がり人体の上方に抜ける、又は腹側浮体２２が腹側Ｆから離れる等の脱離を防止し、浮遊性を高めることができる。【００４２】
また、本実施例に係る図では、肩部連結部２４をバンド状で示しているが、バンド状に限られるものではなく、背側浮体２０と腹側浮体２２とを布状の肩部連結部で連結し、肩部連結部に人体の頭部Ｈを通すことができる穴部を有する形状とすることも可能である。さらに、背側浮体２０と腹側浮体２２とが分離可能な形態にすることで、背負い鞄用救命胴体２ａを、背負い鞄６から着脱しやすくすることができる。【００４３】
また、本実施例に係る図では、股紐２６をバンド状で示しているが、バンド状に限られるものではなく、背側浮体２０又は背負い鞄６と腹側浮体２２とを布状の股紐で連結し、人体の股部Ｃを通って股紐を架け渡すことも可能である。尚、本実施例に係る図では、股紐２６に背負い鞄６と腹側浮体２２とを連結する連結手段を示していないが、連結手段は特に限定されない。例えば、バックル状、面ファスナー、ボタン等の留め具を使用することにより容易に着脱ができることが好ましい。【００４４】
さらに、背負い鞄用救命胴体２ａを、救命胴体として使用しない時に、背側浮体２０と腹側浮体２２とを重ねて、腹側浮体２２を背負い鞄６の背当てとして使用してもよい。すなわち、背側浮体２０又は／及び腹側浮体２２が、背負い鞄６の背当てとして使用可能な形状とするようにしてもよい。【００４５】
尚、本実施の形態での背負い鞄用救命胴体２ａの使用方法として、救命胴体として使用しない時に、腹側浮体２２を、背負い鞄６の外側に配置するようにしているが、このような使い方に限られるものではなく、腹側浮体２２を、背負い鞄６の収納室内に収納可能な形状とするようにしてもよい。すなわち、背側浮体２０及び／又は腹側浮体２２が、背負い鞄６の収納室内に収納可能な形状であればよい。【００４６】
尚、背側浮体２０の浮き上がりに関しては、股紐２６による場合の他、横幅を背負い鞄６の２本の肩紐８の間隔より広くするようにして、対応してもよい。また、背負い鞄用救命胴体２ａを、救命胴体として使用しない時に、背側浮体２０と腹側浮体２２とを重ねて、腹側浮体２２を背負い鞄６の背当てとして使用した状態で、急に水難に遭遇した場合などには、腹側浮体２２の横幅も、背負い鞄６の２本の肩紐８の間隔より広い形状であれば、腹側浮体２２の浮き上がりが防止できるという効果もある。
【実施例５】
【００４７】
図９は、本発明に係る背負い鞄用救命胴体の第５の実施例及びその使用方法を示す説明図である。図１０は、第５の実施例の背負い鞄用救命胴体の使用方法を示す説明図である。本実施例に係る図では、浮体としての使用時に、背負い鞄６と腹側浮体２２との間に人体の股部Ｃを通って股紐２６を架け渡し、かつ、背側浮体２０と腹側浮体２２との間に人体の腰周りを通って腰紐２８を架け渡している。【００４８】
本実施例では、実施例４の背負い鞄用救命胴体２ａに加えて、浮体としての使用時に背側浮体２０と腹側浮体２２との間に人体の腰周りを通って架け渡す腰紐２８を備えている。尚、図９、１０に破線で示したように、背負い鞄６から腹側浮体２２に腰紐２８を架け渡して、背負い鞄６と腹側浮体２２とを連結するようにしてもよい。その場合、背負い鞄６から腹側浮体２２に架け渡した腰紐２８によって、背負い鞄６、背側浮体２０及び人体の背側Ｂ、並びに、腹側浮体２２及び人体の腹側Ｆが互いに密着するように装着することが好ましい。その結果、背負い鞄６、背側浮体２０及び人体の背側Ｂ、並びに、腹側浮体２２及び人体の腹側Ｆの間に空間がほぼなくなり、水中で水が入りにくくなるため、浮遊性を高めることができる。【００４９】
背側浮体２０又は背負い鞄６と腹側浮体２２とを股紐２６で連結することに加えて、背側浮体２０又は背負い鞄６と腹側浮体２２とを腰紐２８を用いてつなぎ止めることで、背負い鞄用救命胴体２ｂを人体の股部Ｃと腰部で固定することができる。このため、水中で背負い鞄用救命胴体２ｂが人体の上方だけでなく、側方に抜ける等の脱離を防止することができる。【００５０】
尚、本実施例に係る図では、腰紐２８に背側浮体２０と腹側浮体２２とを連結する連結手段を示していないが、連結手段は特に限定されない。例えば、バックル状、面ファスナー、ボタン等の留め具を使用することにより容易に着脱ができることが好ましい。
【実施例６】
【００５１】
図１１は、本発明に係る背負い鞄用救命胴体の第６の実施例及びその使用方法を示す説明図である。図１２は、第６の実施例の背負い鞄用救命胴体の使用方法を示す説明図である。本実施例に係る図では、浮体としての使用時に、背側浮体２０と腹側浮体２２との間に人体の腰周りを通って腰紐２８を架け渡している。【００５２】
本実施例では、浮体としての使用時に背側浮体２０と腹側浮体２２との間に人体の腰周りを通って架け渡す腰紐２８を備えている。尚、図１１、１２に破線で示したように、背負い鞄６から腹側浮体２２に腰紐２８を架け渡して、背負い鞄６と腹側浮体２２とを連結するようにしてもよい。その場合、背負い鞄６から腹側浮体２２に架け渡した腰紐２８によって、背負い鞄６、背側浮体２０及び人体の背側Ｂ、並びに、腹側浮体２２及び人体の腹側Ｆが互いに密着するように装着することが好ましい。その結果、背負い鞄６、背側浮体２０及び人体の背側Ｂ、並びに、腹側浮体２２及び人体の腹側Ｆの間に空間がほぼなくなり、水中で水が入りにくくなるため、浮遊性を高めることができる。【００５３】
背側浮体２０又は背負い鞄６と腹側浮体２２とを腰紐２８を用いてつなぎ止めることで、背負い鞄用救命胴体２ｃを人体の腰部で固定することができる。このため、水中で背負い鞄用救命胴体２ｃが浮き上がり人体から抜ける、又は腹側浮体２２が腹側Ｆから離れてしまう等の脱離を防止することができる。【００５４】
以上のような実施例１〜６の背負い鞄用救命胴体１ａ〜１ｃ、２ａ〜２ｃによれば、背負い鞄６と一体で持ち歩くことが可能となり、外出のより多くの機会に持参されやすく、突発的な水難に使用できる可能性が高まり、脱離しにくい背負い鞄用救命胴体及び背負い鞄用救命胴体の使用方法を提供することができることになる。【００５５】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００５６】
本発明により、外出のより多くの機会に持参されやすく、突発的な水難に使用できる可能性が高まり、脱離しにくい背負い鞄用救命胴体及び背負い鞄用救命胴体の使用方法を提供することができる。
【符号の説明】
【００５７】
１ａ、１ｂ、１ｃ・・・・背負い鞄用救命胴体
２ａ、２ｂ、２ｃ・・・・背負い鞄用救命胴体
６・・・・背負い鞄
６ａ・・・収納室
６ｂ・・・収納室口
６ｃ・・・背側
８・・・・肩紐
１０・・・背側浮体
１２・・・腹側浮体
１４・・・肩部連結部
１６・・・股紐
１８・・・腰紐
２０・・・背側浮体
２２・・・腹側浮体
２４・・・肩部連結部
２６・・・股紐
２８・・・腰紐
【図１】
2020003455.tif 000003
【図２】
2020003455.tif 000004
【図３】
2020003455.tif 000005
【図４】
2020003455.tif 000006
【図５】
2020003455.tif 000007
【図６】
2020003455.tif 000008
【図７】
2020003455.tif 000009
【図８】
2020003455.tif 000010
【図９】
2020003455.tif 000011
【図１０】
2020003455.tif 000012
【図１１】
2020003455.tif 000013
【図１２】
2020003455.tif 000014
【国際調査報告】
2020003455.tif 000015
2020003455.tif 000016
2020003455.tif 000017
2020003455.tif 000018